(57)【要約】  幼児および子供用サングラスは、細長い一体的な部材を含み、それは、中央のノーズ・ブリッジを有する中央部分、中央のノーズ・ブリッジの両側のレンズ開口、および、中央部分の各端部の細長い一体的な部材内のベンドにおいて中央部分から後方へ延伸するテンプルを含む。レンズ画定部材は、中央部分に付され、細長い一体的な裏当ては、レンズ画定部材に付される。裏当ては、中央部分の中央のノーズ・ブリッジに対向する中央のノーズ・ブリッジ、および中央部分の両側のレンズ開口に対向する中央のノーズ・ブリッジの両側のレンズ開口を含む。ノーズ・ブリッジ・パッドは、裏当てに付され、テンプル・パッドは、細長い一体的な部材内にベンドを保持するために、裏当ての両端およびテンプルに付される。
2008522219.tif 000002
【特許請求の範囲】
【請求項１】
対向する外側および内側表面、中央のノーズ・ブリッジ、および前記中央のノーズ・ブリッジの両端のレンズ開口、を有する中央部分、および、
前記中央部分の両端で細長い一体的な部材内のベンドから前記内側表面の後方へ延伸するテンプルであって、前記テンプルのそれぞれは、前記中央部分の前記外側表面と一致する外側表面、および前記中央部分の前記内側表面と一致する内側表面を有する、テンプル、
を含む細長い一体的な部材と、  
柔軟で、薄く、太陽光から保護し、かつ、光透過性を有する材料で作成され、前記中央部分の前記内側表面に付された外側表面、および対向する内側表面を有するレンズ画定部材であって、前記レンズ画定部材は、前記中央部分と比べてほぼ同じ大きさであり、前記中央部分の前記ベンドのそれぞれと並置された端部を有する、レンズ画定部材と、
細長い一体的な裏当てであって、前記レンズ画定部材の前記内側表面に付された外側表面、および対向する内側表面を有し、前記裏当ては、前記中央部分を含む前記中央部分と比べてほぼ同一大であり、かつその鏡像であり、前記中央部分の中央のノーズ・ブリッジに対向する中央のノーズ・ブリッジ、前記中央部分の両端にある前記レンズ開口に対向する前記中央のノーズ・ブリッジの両端のレンズ開口、および、前記中央部分の前記ベンドのそれぞれと並置された端部を含む、細長い一体的な裏当てと、
前記ノーズ・ブリッジにおいて前記裏当ての前記内側表面に付されたノーズ・ブリッジ・パッドと、
前記細長い一体的な部材内の前記ベンドを保持するために、その両端で前記裏当ての前記内側表面および前記各テンプルの前記内側表面に付されたテンプル・パッドと、
から構成されることを特徴とする幼児および子供用サングラス。
【請求項２】
前記テンプルは、それぞれが自由端を有し、
前記テンプルの一方の前記自由端に前記テンプルの他方の前記自由端を着脱自在に保持するのための手段をさらに含むことを特徴とする請求項１記載のサングラス。
【請求項３】
前記手段は、前記テンプルの一方の前記自由端に具備された要素、および前記テンプルの他方の前記自由端に具備された補完的要素を有する面ファスナを含むことを特徴とする請求項２記載のサングラス。
【請求項４】
前記細長い一体的な部材は、発泡材料で形成されることを特徴とする請求項１記載のサングラス。
【請求項５】
前記裏当ては、発泡材料で形成されることを特徴とする請求項１記載のサングラス。
【請求項６】
前記ノーズ・ブリッジ・パッドおよび前記テンプル・パッドは、それぞれ発泡材料で形成されることを特徴とする請求項１記載のサングラス。
【請求項７】
前記ノーズ・ブリッジ・パッドは、前記裏当ての前記内側表面に接着剤で付されることを特徴とする請求項１記載のサングラス。
【請求項８】
前記ノーズ・ブリッジ・パッドは、前記裏当ての前記内側表面に一体的に付されることを特徴とする請求項１記載のサングラス。
【請求項９】
前記テンプル・パッドは、前記裏当ての前記外側表面に接着剤で付されることを特徴とする請求項１記載のサングラス。
【請求項１０】
前記テンプル・パッドは、それぞれ前記テンプルの前記内側表面に接着剤で付されることを特徴とする請求項１記載のサングラス。
【請求項１１】
前記テンプル・パッドは、前記裏当ての前記内側表面に一体的に付されることを特徴とする請求項１記載のサングラス。
【請求項１２】
対向する外側および内側表面、中央のノーズ・ブリッジ、および前記中央のノーズ・ブリッジの両端のレンズ開口を含む中央部分、および、
前記中央部分の両端で細長い一体的な部材内のベンドから前記内側表面の後方へ延伸するテンプルであって、前記テンプルのそれぞれは、前記中央部分の前記外側表面と一致する外側表面、および前記中央部分の前記内側表面と一致する内側表面を有する、テンプル、
を含む細長い一体的な部材と、  
柔軟で、薄く、太陽光から保護し、かつ、光透過性を有する材料で作成され、前記中央部分の前記内側表面に付された外側表面および対向する内側表面を有するレンズ画定部材であって、前記レンズ画定部材は、前記中央部分と比べてほぼ同じ大きさであり、前記中央部分の前記ベンドのそれぞれと並置された端部を有する、レンズ画定部材と、
前記レンズ画定部材の前記内側表面に付された細長い一体的な裏当てであって、前記中央部分の中央のノーズ・ブリッジに対向する中央のノーズ・ブリッジ、前記中央部分の両端の前記レンズ開口に対向する前記中央のノーズ・ブリッジの両端のレンズ開口、前記中央部分の前記ベンドのそれぞれと並置された端部、前記裏当ての前記ノーズ・ブリッジにあるノーズ・ブリッジ・パッド、および、前記裏当ての両端にあり、かつ前記細長い一体的な部材内で前記ベンドを保持するために前記各テンプルの前記内側表面に付されたテンプル・パッドを含む、細長い一体的な裏当てと、
から構成されることを特徴とする幼児および子供用サングラス。
【請求項１３】
前記テンプルは、それぞれが自由端を有し、
前記テンプルの一方の前記自由端に前記テンプルの他方の前記自由端を着脱自在に保持するのための手段をさらに含むことを特徴とする請求項１２記載のサングラス。
【請求項１４】
前記手段は、前記テンプルの一方の前記自由端に具備された要素、および前記テンプルの他方の前記自由端に具備された補完的要素を有する、面ファスナを含むことを特徴とする請求項１３記載のサングラス。
【請求項１５】
前記細長い一体的な部材は、発泡材料で形成されることを特徴とする請求項１２記載のサングラス。
【請求項１６】
前記裏当ては、発泡材料で形成されることを特徴とする請求項１２記載のサングラス。
【請求項１７】
対向する外側および内側表面、中央のノーズ・ブリッジ、および前記中央のノーズ・ブリッジの両端のレンズ開口を有する中央部分、および、
前記中央部分の両端から延伸するテンプルであって、前記テンプルのそれぞれは、前記中央部分の前記外側表面と一致する外側表面、および前記中央部分の前記内側表面と一致する内側表面を有する、テンプル、
を含む細長い一体的な部材と、  
柔軟で、薄く、太陽光から保護し、かつ、光透過性を有する材料で作成され、前記中央部分の前記内側表面に付された外側表面および対向する内側表面を有するレンズ画定部材であって、前記レンズ画定部材は、前記中央部分と比べてほぼ同じ大きさであり、前記中央部分の前記ベンドのそれぞれと並置された端部を有する、レンズ画定部材と、
細長い一体的な裏当てであって、前記レンズ画定部材の前記内側表面に付された外側表面、および対向する内側表面を有し、前記裏当ては、前記中央部分を含む前記中央部分と比べてほぼ同一大であり、かつその鏡像であり、前記中央部分の中央のノーズ・ブリッジに対向する中央のノーズ・ブリッジ、前記中央部分の両端にある前記レンズ開口に対向する前記中央のノーズ・ブリッジの両端のレンズ開口、および、前記中央部分の端部のそれぞれと並置された端部を含む、細長い一体的な裏当てと、
から構成されることを特徴とする幼児および子供用サングラス。
【請求項１８】
前記ノーズ・ブリッジにおいて、前記裏当ての前記内側表面に付されたノーズ・ブリッジ・パッドをさらに含むことを特徴とする請求項１７記載のサングラス。
【請求項１９】
前記テンプルは、それぞれが自由端を有し、
前記テンプルの一方の前記自由端に前記テンプルの他方の前記自由端を着脱自在に保持するのための手段をさらに含むことを特徴とする請求項１７記載のサングラス。
【請求項２０】
前記手段は、前記テンプルの一方の前記自由端に具備された要素、および前記テンプルの他方の前記自由端に具備された補完的要素を有する、面ファスナを含むことを特徴とする請求項１９記載のサングラス。
【請求項２１】
前記細長い一体的な部材は、発泡材料で形成されることを特徴とする請求項１７記載のサングラス。
【請求項２２】
前記裏当ては、発泡材料で形成されることを特徴とする請求項１７記載のサングラス。
【請求項２３】
前記ノーズ・ブリッジ・パッドは、発泡材料で形成されることを特徴とする請求項１８記載のサングラス。
【請求項２４】
前記ノーズ・ブリッジ・パッドは、前記裏当ての前記内側表面に接着剤で付されることを特徴とする請求項１８記載のサングラス。
【請求項２５】
前記ノーズ・ブリッジ・パッドは、前記裏当ての前記内側表面に一体的に付されることを特徴とする請求項１８記載のサングラス。
【発明の詳細な説明】
【技術分野】
【０００１】
本発明は、サングラスに関し、より詳しくは、幼児および小さな子供等のための子供用サングラスに関する。
【背景技術】
【０００２】
太陽光によって眼に損傷を受ける危険性は誰にでもある。皮膚に損傷を与える光線と同様の有害な光線によって、眼にも問題が生じる危険性は高い。長期にわたるＵＶ放射の影響は、ゆっくりと苦痛を伴わずに現れる。今日人々が経験している多くの深刻な眼の疾患に、ＵＶおよび他の太陽光線が関係していることが、研究によって解明されたきた。
【０００３】
短期であっても、適切に眼を保護しないまま海岸または雪中で長時間過ごす人々は、フォトケラティティス(photokeratitis)、すなわち角膜の日焼けを起こすことがあるが、それは、一時的な視力の喪失を引き起こす場合がある。雪、砂、または水による日光の反射によって、人々が太陽放射に曝させる機会はさらに増加する。
【０００４】
ほとんどの人々は、彼らの眼の敏感な性質について無知である。視力検査医および眼科医によれば、眼の中には、日光によって影響を受ける可能性のある３つの表面、すなわち、角膜および結膜（雪盲および翼状片）、レンズ（白内障）、および網膜（日食盲および黄斑変性）がある。これらの表面は異なる機能を持ち、眼の構造のバックボーンとして相互に働く。眼瞼もまた、ＵＶに曝されることによって皮膚癌になる危険性がある。
【０００５】
短期的および長期的な損傷の両方から眼を保護するために、人々は、太陽の有害な光線を遮るサングラスを装着するべきである。濃い色の高価なサングラスまたは眼鏡が、必ずしも優れた保護を提供するとは限らない。人々は、その眼鏡が、９９パーセントから１００パーセントのＵＶ保護を提供することを明記したラベルに注目すべきである。さらに、アイケアの専門家の一部は、顧客のためにサングラスのＵＶ保護レベルをテストすることもできる。
【０００６】
サングラス・レンズの濃さは、保護の度合いにおいて重要な役割を果たす。例えば、琥珀色または褐色のレンズは、色を歪めるおそれがある。しかしながら、それらは、網膜中の黄斑変性の一因となる可能性がある、可視スペクトルの最も短い波長の大部分または全部を低減することができる。
【０００７】
さらに、サングラスのスタイルまたはフレームの被覆範囲は、レンズを透過せずに眼に達する、散乱または反射する有害な光線量に影響を与える。顔面に密着するようにフィットするラップアラウンド型サングラスは、フレームの小さいサングラスよりも、太陽光からの保護に優れる。
【０００８】
ＵＶ保護機能を有するコンタクトレンズを装着している人々も、さらに眼を全体的に保護するために、サングラスを着用すべきである。
【０００９】
子供もまた、表示ラベルが付されていないおもちゃの眼鏡ではなく、高いＵＶ保護レベルを有する旨を表示したサングラスを着用すべきである。ポリカーボネート・レンズは、耐破砕性に最も優れているので、子供用として一般に推奨される。
【００１０】
先行技術は、子供用サングラスに関して多数の特定構造を提供してきた。しかしながら、それらのいずれもが、完全に満足できるものでないことは明白である。いくつかの先行技術による子供用サングラスは、作成が難しく、高価であり、着け心地が良くないために子供が装着を拒む。さらに、子供用サングラスのいくつかは、フレームおよび他の部分が比較的硬くて壊れやすく、それによって生じた破片は比較的鋭利なエッジを有するので、幼児または小さな子供が負傷することがあり、また、飛散した小さい破片によって負傷する場合もあるので、小さな子供または幼児には適さない。
【発明の開示】
【００１１】
本発明の目的は、値段が安く、安全で、使い捨てができ、快適であり、しかも作成が容易で、かつ便利に使用できるような、特に幼児および子供の着用に適したサングラスを提供することである。
【００１２】
本発明に従って提供される幼児および子供用サングラスは、細長い一体的な部材を含み、それは、対向する外側および内側表面、中央のノーズ・ブリッジ、および中央のノーズ・ブリッジの両端にレンズ開口を有する、中央部分、ならびに、その中央部分の両端から延伸するテンプルから構成される。各テンプルは、中央部分の外側表面と一致する外側表面、および中央部分の内側表面と一致する内側表面を有する。レンズ画定部材は、柔軟で、薄く、太陽光から保護し、かつ、光透過性を有する材料で作成され、中央部分の内側表面に付された外側表面および対向する内側表面を有する。レンズ画定部材は、中央部分と比べてほぼ同じ大きさであり、中央部分の端部のそれぞれと並置された端部を有する。細長い一体的な裏当ては、レンズ画定部材の内側表面に付された外側表面、および対向する内側表面を有し、その裏当ては、中央部分と比べてほぼ同一大であり、ほぼその鏡像であり、中央部分の中央のノーズ・ブリッジに対向する中央のノーズ・ブリッジ、中央部分の両端にあるレンズ開口に対向する中央のノーズ・ブリッジの両端のレンズ開口、および、中央部分の両端のそれぞれと並置された端部を含む。ノーズ・ブリッジ・パッドは、ノーズ・ブリッジにおいて裏当ての内側表面に付される。テンプルは、それぞれが自由端を有し、結合アセンブリは、テンプルの一方の自由端にテンプルの他方の自由端を着脱自在に保持するのために提供される。好適な実施例では、結合アセンブリは、テンプルの一方の自由端に具備された要素、およびテンプルの他方の自由端に具備された補完的要素を有する、面ファスナを含む。好ましくは、細長い一体的な部材は発泡材料で形成され、裏当ては発泡材料で形成され、さらに、ノーズ・ブリッジ・パッドは発泡材料で形成される。特定の実施例では、ノーズ・ブリッジ・パッドは、裏当ての内側表面に接着剤で付される。他の実施例では、ノーズ・ブリッジ・パッドは、裏当ての内側表面に一体的に付される。
【００１３】
本発明に従って提供されるサングラスを作成する方法は、１）細長い一体的な部材を提供する段階であって、その細長い一体的な部材は、対向する外側および内側表面、中央のノーズ・ブリッジ、および中央のノーズ・ブリッジの両端にレンズ開口を有する中央部分を含み、２）レンズ画定部材を提供する段階であって、そのレンズ画定部材は、柔軟で、薄く、太陽光から保護し、かつ、光透過性を有する材料で作成され、対向する外側および内側表面、対向する端部を有し、中央部分と比べてほぼ同じ大きさであり、３）細長い一体的な裏当てを提供する段階であって、その裏当ては、中央部分と比べてほぼ同一大であり、ほぼその鏡像であり、さらに、その裏当ては、対向する外側および内側表面、対向する端部、中央のノーズ・ブリッジ、中央のノーズ・ブリッジの両端のレンズ開口を有し、および、４）レンズ画定部材の外側表面を中央部分の内側表面に付し、かつ、裏当ての外側表面をレンズ画定部材の内側表面に付す段階であって、そこでは、レンズ画定部材の端部は、裏当ての端部に対してそれぞれ並置される。当該方法は、さらに、ノーズ・ブリッジ・パッドを、ノーズ・ブリッジにおいて裏当ての内側表面に付す段階を含む。テンプルは、それぞれが自由端を有し、当該方法は、さらに、テンプルの一方の自由端にテンプルの他方の自由端を着脱自在に保持するのための結合アセンブリを提供する段階を含む。好適な実施例では、結合アセンブリは、テンプルの一方の自由端に具備された要素、およびテンプルの他方の自由端に具備された補完的要素を有する、面ファスナを含む。好ましくは、細長い一体的な部材は発泡材料で形成され、裏当ては発泡材料で形成され、さらに、ノーズ・ブリッジ・パッドは発泡材料で形成される。特定の実施例では、ノーズ・ブリッジ・パッドを付す段階は、さらに、ノーズ・ブリッジ・パッドを接着剤で付す段階を含む。他の実施例では、ノーズ・ブリッジ・パッドを付す段階は、さらに、ノーズ・ブリッジ・パッドを裏当ての内側表面に一体的に付す段階を含む。
【００１４】
本発明に従って提供される幼児および子供用サングラスは、細長い一体的な部材を含み、それは、対向する外側および内側表面、中央のノーズ・ブリッジ、および中央のノーズ・ブリッジの両端にレンズ開口を有する、中央部分、ならびに、中央部分の両端上の細長い一体的な部材内のベンドから内側表面の後方へ延伸するテンプルから構成される。各テンプルは、中央部分の外側表面と一致する外側表面、および中央部分の内側表面と一致する内側表面を有する。レンズ画定部材は、柔軟で、薄く、太陽光から保護し、かつ、光透過性を有する材料で作成され、中央部分の内側表面に付された外側表面および対向する内側表面を有し、そこでは、レンズ画定部材は、中央部分と比べてほぼ同じ大きさであり、中央部分の端部のそれぞれと並置された端部を有する。細長い一体的な裏当ては、レンズ画定部材の内側表面に付された外側表面、および対向する内側表面を有し、その裏当ては、中央部分と比べてほぼ同一大であり、ほぼその鏡像であり、中央部分の中央のノーズ・ブリッジに対向する中央のノーズ・ブリッジ、中央部分の両端にあるレンズ開口に対向する中央のノーズ・ブリッジの両端のレンズ開口、および、中央部分の両端のそれぞれと並置された端部を含む。ノーズ・ブリッジ・パッドは、ノーズ・ブリッジにおいて裏当ての内側表面に付される。テンプル・パッドは、細長い一体的な部材内のベンドを保持するために、その両端で裏当ての内側表面および各テンプルの内側表面に付される。テンプルは、それぞれが自由端を有し、結合アセンブリは、テンプルの一方の自由端にテンプルの他方の自由端を着脱自在に保持するのために提供される。好ましくは、結合アセンブリは、テンプルの一方の自由端に具備された要素、およびテンプルの他方の自由端に具備された補完的要素を有する、面ファスナを含む。好ましくは、細長い一体的な部材は発泡材料で形成され、裏当ては発泡材料で形成され、さらに、ノーズ・ブリッジ・パッドおよびテンプル・パッドは、それぞれ発泡材料で形成される。一実施例では、ノーズ・ブリッジ・パッドは、裏当ての内側表面に接着剤で付される。他の実施例では、ノーズ・ブリッジ・パッドは、裏当ての内側表面に一体的に付される。一実施例では、テンプル・パッドは、裏当ての内側表面に接着剤で付される。他の実施例では、テンプル・パッドは、裏当ての内側表面に一体的に付される。
【００１５】
本発明に従って提供される、幼児および子供に適したサングラスを作成する方法は、１）細長い一体的な部材を提供する段階であって、その細長い一体的な部材は、対向する外側および内側表面、中央のノーズ・ブリッジ、および中央のノーズ・ブリッジの両端にレンズ開口を有する中央部分を含み、２）レンズ画定部材を提供する段階であって、そのレンズ画定部材は、柔軟で、薄く、太陽光から保護し、かつ、光透過性を有する材料で作成され、対向する外側および内側表面、対向する端部を有し、中央部分と比べてほぼ同じ大きさであり、３）細長い一体的な裏当てを提供する段階であって、その裏当ては、中央部分と比べてほぼ同一大であり、ほぼその鏡像であり、さらに、その裏当ては、対向する外側および内側表面、対向する端部、中央のノーズ・ブリッジ、中央のノーズ・ブリッジの両端のレンズ開口を有し、および、４）レンズ画定部材の外側表面を中央部分の内側表面に付し、かつ、裏当ての外側表面をレンズ画定部材の内側表面に付す段階であって、そこでは、レンズ画定部材の端部は、裏当ての端部に対してそれぞれ並置され、５）細長い一体的な部材内にベンドおよびテンプルを形成するために、レンズ画定部材および裏当ての並置された端部で、内側表面の後方へ細長い一体的な部材を折り曲げる段階、６）テンプルのそれぞれは、中央部分の外側表面と一致する外側表面、および中央部分の内側表面と一致する内側表面を有し、７）ノーズ・ブリッジ・パッドを、ノーズ・ブリッジにおいて裏当ての内側表面に付す段階、および、８）テンプル・パッドを、細長い一体的な部材内のベンドを保持するために、その両端で裏当ての内側表面および各テンプルの内側表面に付す段階、を含む。テンプルは、それぞれが自由端を有し、当該方法は、さらに、テンプルの一方の自由端にテンプルの他方の自由端を着脱自在に保持するのための結合アセンブリを提供する段階を含む。好ましくは、結合アセンブリは、テンプルの一方の自由端に具備された要素、およびテンプルの他方の自由端に具備された補完的要素を有する、面ファスナを含む。好ましくは、細長い一体的な部材は発泡材料で形成され、裏当ては発泡材料で形成され、さらに、ノーズ・ブリッジ・パッドおよびテンプル・パッドは、それぞれ発泡材料で形成される。一実施例では、ノーズ・ブリッジ・パッドを付す段階は、さらに、ノーズ・ブリッジ・パッドを接着剤で付す段階を含む。他の実施例では、ノーズ・ブリッジ・パッドを付す段階は、さらに、ノーズ・ブリッジ・パッドを裏当ての内側表面に一体的に付す段階を含む。一実施例では、テンプル・パッドをその両端で裏当ての内側表面に付す段階は、さらに、テンプル・パッドをその両端で裏当ての内側表面に接着剤で付す段階を含む。他の実施例では、テンプル・パッドをその両端で裏当ての内側表面に付す段階は、さらに、テンプル・パッドをその両端で裏当ての内側表面に一体的に付す段階を含む。一実施例では、テンプル・パッドを各テンプルの内側表面に付す段階は、さらに、テンプル・パッドを各テンプルの内側表面に接着剤で付す段階を含む。他の実施例では、テンプル・パッドをその両端で裏当ての内側表面に付す段階は、さらに、テンプル・パッドをその両端で裏当ての内側表面に一体的に付す段階を含む。
【００１６】
本発明に従って提供される幼児および子供用サングラスは、細長い一体的な部材を含み、それは、対向する外側および内側表面、中央のノーズ・ブリッジ、および中央のノーズ・ブリッジの両端にレンズ開口を有する、中央部分、ならびに、中央部分の両端上の細長い一体的な部材内のベンドから内側表面の後方へ延伸するテンプルから構成される。各テンプルは、中央部分の外側表面と一致する外側表面、および中央部分の内側表面と一致する内側表面を有する。レンズ画定部材は、柔軟で、薄く、太陽光から保護し、かつ、光透過性を有する材料で作成され、中央部分の内側表面に付された外側表面および対向する内側表面を有する。レンズ画定部材は、中央部分と比べてほぼ同じ大きさであり、中央部分の端部のそれぞれと並置された端部を有する。細長い一体的な裏当ては、レンズ画定部材の内側表面に付された外側表面、および対向する内側表面を有し、その裏当ては、中央部分の中央のノーズ・ブリッジに対向する中央のノーズ・ブリッジ、中央部分の両端にあるレンズ開口に対向する中央のノーズ・ブリッジの両端のレンズ開口、および、中央部分の両端のそれぞれと並置された端部、裏当てのノーズ・ブリッジにあるノーズ・ブリッジ・パッド、および、裏当ての両端にあり、かつ、細長い一体的な部材内のベンドを保持するために各テンプルの内側表面に付されテンプル・パッドを含む。テンプルは、それぞれが自由端を有し、結合アセンブリは、テンプルの一方の自由端にテンプルの他方の自由端を着脱自在に保持するのために提供される。好ましくは、結合アセンブリは、テンプルの一方の自由端に具備された要素、およびテンプルの他方の自由端に具備された補完的要素を有する、面ファスナを含む。好ましくは、細長い一体的な部材は発泡材料で形成され、さらに、裏当ては発泡材料で形成される。
【００１７】
本発明に従って提供される、幼児および子供に適したサングラスを作成する方法は、１）細長い一体的な部材を提供する段階であって、その細長い一体的な部材は、対向する外側および内側表面、中央のノーズ・ブリッジ、および中央のノーズ・ブリッジの両端にレンズ開口を有する、中央部分を含み、２）レンズ画定部材を提供する段階であって、そのレンズ画定部材は、柔軟で、薄く、太陽光から保護し、かつ、光透過性を有する材料で作成され、対向する外側および内側表面、対向する端部を有し、中央部分と比べてほぼ同じ大きさであり、３）細長い一体的な裏当てを提供する段階であって、その裏当ては、中央部分と比べてほぼ同一大であり、裏当ては、中央のノーズ・ブリッジ、中央のノーズ・ブリッジの両端のレンズ開口、対向する端部、裏当てのノーズ・ブリッジにあるノーズ・ブリッジ・パッド、および裏当ての各端部にあるテンプル・パッドを有し、４）レンズ画定部材の外側表面を中央部分の内側表面に付し、かつ、裏当てをレンズ画定部材の内側表面に付す段階であって、そこでは、レンズ画定部材の端部は、裏当ての端部に対してそれぞれ並置され、５）細長い一体的な部材内にベンドおよびテンプルを形成するために、レンズ画定部材および裏当ての並置された端部で、内側表面の後方へ細長い一体的な部材を折り曲げる段階、６）テンプルのそれぞれは、中央部分の外側表面と一致する外側表面、および中央部分の内側表面と一致する内側表面を有し、および、８）テンプル・パッドを、細長い一体的な部材内のベンドを保持するために、テンプルの内側表面にそれぞれ付す段階、を含む。テンプルは、それぞれが自由端を有し、当該方法は、さらに、テンプルの一方の自由端にテンプルの他方の自由端を着脱自在に保持するのための結合アセンブリを提供する段階を含む。好ましくは、結合アセンブリは、テンプルの一方の自由端に具備された要素、およびテンプルの他方の自由端に具備された補完的要素を有する、面ファスナを含む。好ましくは、細長い一体的な部材は発泡材料で形成され、裏当ては発泡材料で形成される。一実施例では、テンプル・パッドをテンプルの内側表面にそれぞれ付す段階、および、テンプル・パッドをテンプルの内側表面にそれぞれ接着剤で付す段階を含む。
【００１８】
本発明の好適な実施例について前述した要約、およびこれと共に記載された後述の発明の詳細な説明を相互に結合させることによって、本発明に関連する装置および方法の実施例についての考察が深まる。
【発明を実施するための最良の形態】
【００１９】
図面に関して用いられる同様の参照番号は、いくつかの図において対応する要素を示す。先ずここで注目すべきは、本発明の原理を具体化するために、図１に示されるサングラスであり、一般に参照番号５０が付される。図１では、サングラス５０は、一般に参照番号５１が付された使用者の頭部に装着された状態で示される。
【００２０】
図４に関し、サングラス５０は、細長い部材(elongate member)６０、レンズ画定部材(lens-defining member)６１、および裏当て(backing)６２を含む。さらに、ノーズ・ブリッジ・パッド６３およびテンプル・パッド６４Ａ，６４Ｂを含む。部材６０、裏当て６２、ノーズ・ブリッジ・パッド６３、およびテンプル・パッド６４Ａ，６４Ｂのそれぞれは、同一または異なる多孔性の発泡材料、例えばポリウレタン型発泡材料、エチル酢酸ビニル発泡材料、または他の同様の発泡材料等で形成され、それらは軽量かつ柔軟であり、鋭利なエッジを持たず、さらに、装飾を施し、商標や商品情報を付す等の目的のために、印刷また型押しが可能である。
【００２１】
部材６０は、成形により、または１片の材料から切り取ることによって形成された、単一の一体的な要素である。裏当て６２もまた、成形により、または、１片の材料から切り取ることによって形成された、単一の一体的な要素である。さらに、ノーズ・ブリッジ・パッド６３およびテンプル・パッド６４Ａ，６４Ｂも、それぞれ、成形により、または、１片の材料から切り取ることによって形成された、単一の一体的な要素である。
【００２２】
レンズ画定部材６１は、太陽光からの保護が可能な組成または色を有する薄いプラスチックの光透過性材料、さらに好ましくは熱硬化性材料で形成された単一の一体的な部材である。レンズ画定部材６１は、太陽の有害なＵＶ光を遮断するタイプである。好適な材料としては、高性能のＬｅｘａｎ（商標）フィルム、またはポリカーボネート・フィルムがあり、両者とも紫外線からの保護を提供するという望ましい特性を有し、粉砕し難く、耐薬品性を有し、軽量かつ柔軟である。要望に応じて、個々の着用者のために処方された光学用レンズまたは曲率を形成するのに適した材料を含む他の材料が使用されてもよい。
【００２３】
部材６０は、対向する外側表面７１および内側表面７２を有する中央部分７０、中央のノーズ・ブリッジ７３、中央のノーズ・ブリッジ７３の両側に設けられたレンズ開口７４、および中央部分７０の両端７７で部材６０内のベンド７６から内側表面７２の後方に延伸するテンプル７５を含む。各テンプル７５は、中央部分７０の外側表面７１と一致する外側表面８１、および中央部分７０の内側表面７２と一致する内側表面８２を有する。各レンズ開口７４は、大きさがほぼ等しい。
【００２４】
レンズ画定部材６１は、中央部分７０の内側表面７２上に重ねられ、中央部分７０と比べてほぼ同一の大きさである。より詳しくは、レンズ画定部材６１は、対向する外側表面９０および内側表面９１、および対向する端部９２を有する。外側表面９０は、中央部分７０の内側表面７２上に重ねられ、レンズ開口７４を覆うように、中央部分７０の内側表面７２に適切な接着剤で付され、その端部９２は、ベンド７６、さらに中央部分７０の端部７７と並置される。好ましくは、対向する平行の端部によって側面９２が特徴付けられ、ベンド７６は、端部７７で、これらの平行の端部周辺に形成される。
【００２５】
裏当て６２は、レンズ画定部材の外側表面９１上に重ねられるが、これは、中央部分７０と比べてほぼ同一の大きさであり、ほぼ鏡像である。さらに、裏当て６２は、レンズ画定部材６１と比べてほぼ同一の大きさである。より詳しくは、裏当て６２は、対向する外側表面１００および内側表面１０１、対向する端部１０２、中央のノーズ・ブリッジ１０３、および中央のノーズ・ブリッジ１０３の両側に設けられたレンズ開口１０４を有する。外側表面１００は、適切な接着剤でレンズ画定部材６１の内側表面９１に離れないように付され、レンズ画定部材６１の内側表面９１上、さらに中央部分７０上に重なり、そこでは、レンズ画定部材６１は、中央部分７０の内側表面７２と裏当て６２の外側表面１００との間に挟まれ、また、レンズ開口１０４は、それぞれレンズ開口７４と相対し、かつ整列し、また、中央のノーズ・ブリッジ１０３は、中央のノーズ・ブリッジ７３と対向する。端部１０２は、端部９２、ベンド７６、さらに端部７７とそれぞれ並置される。好ましくは、対向する平行の端部によって端部１０２が特徴付けられ、ベンド７６は、端部９２の平行の端部周辺のみならず、端部１０２の平行の端部周辺にも形成される。レンズ画定部材６１を中央部分７０に接着すること、および裏当て６２をレンズ画定部材６１に接着することによって、サングラス５０のラミネート・レンズの入ったフレーム部分が形成されるが、それは、本発明の典型的な実施例を構成するものとして、図２および図３で明瞭に示される。図２および図３は、さらに、レンズ画定部材６１および裏当て６２のそれぞれについて、ベンド７６および端部９２，１０２の関係を示す。
【００２６】
ノーズ・ブリッジ・パッド６３は、適切な接着剤によって、ノーズ・ブリッジ１０３において裏当て６２の外側表面１０３に接着剤で付される。本発明の原理に従って、テンプル・パッド６４Ａ，６４Ｂは、ベンド７６において形成されたサングラス５０の内側角内に配置されるが、ベンド７６は、中央部分７０およびテンプル７５の並置された内側表面によって形成される。さらに、テンプル・パッド６４Ａ，６４Ｂは、レンズ開口１０４の両側にある各端部１０２において裏当て６２の外側表面１０１に付されるとともに、テンプル７５の内側表面８２に付され、部材７０内でベンド７６を保持する。ノーズ・ブリッジ・パッド６３およびテンプル・パッド６４Ａ，６４Ｂの装着については、図２および図３に示される。
【００２７】
テンプル７５は、それぞれ自由端１１０を有し、自由端１１０は、図１で示すように、サングラス５０を使用者の頭部に固定するためのヘッド・バンドを形成するために、相互に固定することができる。結合部品は、自由端１１０を着脱可能に固定するために提供される。好ましくは、結合部品は、一方の自由端１１０が具備する要素１１１、および他の自由端１１０が具備する補完的要素１１２を有する、面ファスナ(hook and loop fastener)を含む。５０で示される本実施例において、要素１１１は面ファスナのフック要素であり、また、補完的要素１１２は面ファスナのループ要素である。要望に応じて、この配置を逆にすることも可能である。要素１１１，１１２は、適切な接着剤で適所に固定されるが、要素１１１は一方のテンプル７５の自由端の外側表面８１に配置され、要素１１２は、他方のテンプル７５の自由端の内側表面８２に配置され、これによって、要素１１１を補完的要素１１２に容易に接着することができる。要望に応じて、この配置を逆にすることも可能である。
【００２８】
図１のようにサングラス５０が装着されているとき、裏当て６２の外側表面１０１は使用者側に向き、ノーズ・ブリッジ６３およびテンプル６４Ａ，６４Ｂは、使用者５１の顔面と接し、そこで、ノーズ・ブリッジ・パッド６３は、使用者５１の鼻梁と接し、テンプル・パッド６４Ａ，６４Ｂは、使用者５１のこめかみと接する。さらに、自由端１１０は、サングラス５０を適切な位置に保持するために、使用者５１の頭部の周囲にヘッド・バンドを形成し、着脱自在に固定する。ノーズ・ブリッジ・パッド６３およびテンプル・パッド６４Ａ，６４Ｂは、使用者に快適な付け心地を提供するとともに、サングラスの前面を使用者の顔面から遠ざける機能を果たし、それによって、レンズ画定部材６１が使用者の顔面と接触し、汗や他の皮脂によって見えにくくなることを防止し、さらに、レンズ画定部材６１の曇りを防止するとともに、サングラスと使用者の顔面との間の通気を良くする。さらに、ベンド７６に隣接するテンプル７５の側面は、横方向からの日光を遮断するために幅が広くなっており、一方、レンズ画定部材６１は、太陽から使用者の眼を保護するために太陽の有害なＵＶ光を遮断することに注目すべきである。
【００２９】
サングラスに関する以上の記述と矛盾することなく、本発明に従って、幼児および子供に適したサングラス５０を作成する方法が提供される。すなわち、１）細長い一体的な部材６０を提供する段階であって、その細長い一体的な部材６０は、対向する外側表面７１および内側表面７２、中央のノーズ・ブリッジ７３、および中央のノーズ・ブリッジ７３の両端にレンズ開口７４を有する、中央部分７０（図５）を含み、２）レンズ画定部材６１（図６）を提供する段階であって、そのレンズ画定部材は、柔軟で、薄く、太陽光から保護し、かつ、光透過性を有する材料で作成され、対向する外側表面９０および内側表面９１、対向する端部９２を有し、中央部分７０と比べてほぼ同じ大きさであり、３）細長い一体的な裏当て６２（図８）を提供する段階であって、その裏当て６２は、中央部分と比べてほぼ同一大であり、ほぼその鏡像であり、さらに、その裏当て６２は、対向する外側表面１００および内側表面１０１、対向する端部１０２、中央のノーズ・ブリッジ１０３、中央のノーズ・ブリッジ１０３の両端のレンズ開口１０４を有し、および、４）レンズ画定部材６１の外側表面９０を中央部分７０の内側表面７２に付し、かつ、裏当て６２の外側表面１００をレンズ画定部材６１の内側表面９１に付す（図９）段階であって、そこでは、レンズ画定部材６１の端部１０２は、裏当て６２の端部１０２に対してそれぞれ並置される。以上は、本発明の原理にしたがって、本発明の実施例を構成する。本発明に従って、好適な方法は、さらに、５）細長い一体的な部材６０内にベンド７５（図９）およびテンプル７５を形成するために、レンズ画定部材６１および裏当て６２の並置された端部９２，１０２で、それぞれ、内側表面７２の後方へ細長い一体的な部材６０を折り曲げる段階、６）各テンプル７５は、中央部分７０の外側表面７１と一致する外側表面８１、および中央部分７０の内側表面７２と一致する内側表面８２を有し、７）ノーズ・ブリッジ６３およびテンプル・パッド６４Ａ，６４Ｂを提供する段階（図１０）、８）ノーズ・ブリッジ・パッド６３を、ノーズ・ブリッジ１０３において裏当て６２の内側表面１０１に付す段階、および、９）細長い一体的な部材６０内のベンド７６を保持するために、テンプル・パッド６４Ａ，６４Ｂを、裏当て６２の両端１０２で、裏当て６２の内側表面１０１および各テンプル７５の内側表面８２に付す段階、を含む。テンプル７５は、それぞれが自由端１１０を有し、当該方法は、さらに、テンプル７５の一方の自由端１１０にテンプル７５の他方の自由端１１０を着脱自在に保持するのための結合アセンブリを提供する段階を含み、使用者の頭部にサングラス５０を固定するためのヘッド・バンドを形成する。前述のように、結合アセンブリは、テンプル７５の一方の自由端１１０に具備された要素１１１、およびテンプル７５の他方の自由端１１０に具備された補完的要素１１２を有する、面ファスナを含む。図１１に関し、方法は、要素１１１および補完的要素１１２を提供する段階、要素１１１を一方のテンプル７５の自由端１１０に接着剤で付す段階、および補完的要素１１２を他方のテンプル７５の自由端１１０に接着剤で付す段階を含み、以上によって、図１〜図３に示されたサングラスが完成する。
【００３０】
１２０で示される適切に塗布された接着剤は、レンズ画定部材６１の外側表面９０を中央部分７０の内側表面７２に接着し（図５）、さらに、裏当て６２の外側表面１００をレンズ画定部材６１の内側表面９１に接着する（図７）ために使用される。接着剤１２０は、ブラシ、スプレッダ、およびスプレイ等により塗布される。図５では、接着剤１２０は、中央部分７０の内側表面７２に塗布される。図７では、接着剤１２０は、レンズ画定部材６１の内側表面９１の部分に塗布される。図１１では、接着剤１２０は、要素１１１を接着して固定するために一方のテンプル７５の自由端１１０の外側表面８１に、また、要素１１２を接着して固定するために他方のテンプル７５の自由端１１０の内側表面８２に塗布される。
【００３１】
ノーズ・ブリッジ１０３において、裏当て６２の内側表面１０１にノーズ・ブリッジ・パッド６３を接着する段階は、適切に塗布された接着剤によって、ノーズ・ブリッジ１０３において裏当て６２の内側表面１０１にノーズ・ブリッジ・パッド６３の表面を接着することを含む。図９では、接着剤１２０は、ノーズ・ブリッジ１０３で裏当て６２の内側表面１０１に塗布され、ノーズ・ブリッジ・パッド６３を接着するために使用される。テンプル・パッド６４Ａ，６４Ｂを、裏当て６２の両端１０２で、その内側表面１０１に付す段階は、さらに、テンプル・パッド６４Ａ，６４Ｂを、裏当て６２の両端で、その内側表面１０１に接着剤で付すことを含む。さらに、テンプル・パッド６４Ａ，６４Ｂを各テンプル７５の内側表面８２に付す段階は、各テンプル・パッド６４Ａ，６４Ｂの表面を各テンプル７５の内側表面８２に接着剤で付すことを含む。図９では、接着剤１２０は、裏当て６２の内側表面１０１の両端、および各テンプル７５の内側表面８２に塗布され、テンプル・パッド７４Ａ，７４Ｂの表面を接着するために使用される。
【００３２】
次に、図１２および図１３に関し、そこでは、本発明の原理を具体化した、一般に１３０で示されるサングラスの他の実施例が示される。１つの相違点を除き、サングラス１３０はサングラス５０と同一の材料で同一に形成され、細長い部材６０、レンズ画定部材６１、裏当て６２、ノーズ・ブリッジ・パッド６３、およびテンプル・パッド６４Ａ，６４Ｂを含む同一の要素を含み、サングラス５０についての前記記述および関連する作成方法は、１つの固有の差異を除き、サングラス１３０にも適用される。サングラス５０と異なり、サングラス１３０のノーズ・ブリッジ・パッド６３およびテンプル・パッド６４Ａ，６４Ｂは、裏当て６２と一体的に形成され、そこでは、裏当ては、ノーズ・ブリッジ・パッド６３およびテンプル・パッド６４Ａ，６４Ｂと共に形成された一体的または単一のユニットまたは部品から成る。この１つの差異以外は、サングラス１３０の構造およびその作成方法は、サングラス５０の構造およびその作成方法とすべて同一である。ノーズ・ブリッジ・パッド６３およびテンプル・パッド６４Ａ，６４Ｂは、裏当て６２と一体であるので、成形(molding)によって、または１個の材料から裏当て６２を打抜くことによって、ノーズ・ブリッジ・パッド６３およびテンプル・パッド６４Ａ，６４Ｂは「一体的に」付される、すなわち、これらが一体的な形成によって裏当て６２に固定されることを意味する。したがって、サングラス５０のノーズ・ブリッジ・パッド６３およびテンプル・パッド６４Ａ，６４Ｂは、裏当て６２に接着剤で付されるが、ノーズ・ブリッジ・パッド６３およびテンプル・パッド６４Ａ，６４Ｂは、裏当て６２に一体的に付される。
【００３３】
図１４〜図１７では、本発明の原理を具体化するために、一般に１４０で示されるサングラスの他の実施例が図示される。２つの相違点を除き、サングラス１４０はサングラス１３０と同一の材料で同一に形成され、細長い部材６０、レンズ画定部材６１、ノーズ・ブリッジ・パッド６３を含む裏当て６２、テンプル・パッド６４Ａ，６４Ｂを含む同一の要素を含み、サングラス１３０についての前記記述および関連する作成方法は、２つの固有の差異を除き、サングラス１３０にも適用される。サングラス１３０と異なり、ノーズ・ブリッジ・パッド６３およびテンプル・パッド６４Ａ，６４Ｂを含む、部材６０および裏当て６２は、例えば、成形によって、または１個の材料から打抜くことによって、単一のユニットまたはフレームとして形成される。ポケット１４１は、中央部分７０と裏当て６２との間に形成され、それがレンズ画定部材６１を収容する。ポケット１４１は、成形過程中に、あるいは、レーザ、ナイフ、または他の切断またはミリング装置等を用いた切断によって形成することができる。適切な接着剤が、ポケット１４１内にレンズ画定部材６１を付すために使用される。図１５は、図１４のフレームの正面の概略図であり、ポケット１４１の境界が破線で示される。
【００３４】
中央部分７０を貫通するレンズの開口７４（図示せず）、および裏当て６２を貫通するレンズ開口１０４（図示せず）は、レンズ画定部材６１がポケット１４１内に配置される前または後に形成することができる。後者の場合は、図１６および図１７に示すように、各レンズ開口は、レンズ開口とフレームの内部セクション１４６との境界を画定する限定的または連続的な切取線１４５を設けることによって形成され、そして、それを切取線から引き剥がし、または分離することによってレンズ開口が形成される。
【００３５】
要約すると、ここに開示されるのは、作成が容易で、付け心地が快適であり、鋭利なエッジを持たず、使い捨てができ、値段が安い、特に幼児および子供の装着に適したサングラスの実施例である。本発明の多様な実施例のレンズ画定部材は、アメリカ合衆国特許第５，９４９，５３５号に開示された眼鏡の保護格付制度に従って、約９８アイ・プロテクション・ファクタ（ＥＰＦ）を有するものが好ましく、それは参照としてここに組み込まれる。例えば、除去可能な粘着性のラベル１５０が、図２の画定部材６１に付されているが、それは約９８ＥＰＦであることを示す。約９８ＥＰＦを有するレンズ画定部材を提供することによって、本発明の原理に従って構成および配置されたサングラスは、使用者に対して、太陽の有害なＵＶ光からの優れた保護を提供することが保証されるであろう。レンズ画定部材６１は、要望に応じて、予め定められた任意のＥＰＦで提供することが可能である。
【００３６】
本発明は、好適な実施例に基づいて上述された。しかしながら、当業者は、本発明の本質および範囲から逸脱することなく、開示された実施例の変更および修正が可能であることを認識するであろう。ここに説明目的のために選択された本実施例に対するさらに多様な変更および修正は、当業者にとって容易に想到できるであろう。そのような修正および変更は、本発明の精神から逸脱しない限り、本発明の範囲内に含まれることが意図されている。
【００３７】
本発明は、当業者が理解できるように、明瞭かつ簡潔な用語で記述された。
【図面の簡単な説明】
【００３８】
【図１】使用者が装着した状態を示す、本発明の原則に従って構成されたサングラスの斜視図である。
【図２】図１のサングラスの斜視図である。
【図３】図１のサングラスの平面図である。
【図４】図１のサングラスの他の分解斜視図である。
【図５】図１のサングラスの作成段階を示す。
【図６】図１のサングラスの作成段階を示す。
【図７】図１のサングラスの作成段階を示す。
【図８】図１のサングラスの作成段階を示す。
【図９】図１のサングラスの作成段階を示す。
【図１０】図１のサングラスの作成段階を示す。
【図１１】図１のサングラスの作成段階を示す。
【図１２】本発明の原理に従って構成されたサングラスの他の実施例の斜視図である。
【図１３】図１２のサングラスの分解斜視図である。
【図１４】本発明の原理に従って構成されたサングラスの他の実施例の分解斜視図である。
【図１５】図１４のサングラスの断片の正面の概略図である。
【図１６】図１４のサングラスの拡大した断片の斜視図である。
【図１７】レンズ画定部材がサングラスのポケットに挿入される状態を示す、レンズ画定部材を有する図１４のサングラスの断片の斜視図である。
【図１】
2008522219.tif 000003
【図２】
2008522219.tif 000004
【図３】
2008522219.tif 000005
【図４】
2008522219.tif 000006
【図５】
2008522219.tif 000007
【図６】
2008522219.tif 000008
【図７】
2008522219.tif 000009
【図８】
2008522219.tif 000010
【図９】
2008522219.tif 000011
【図１０】
2008522219.tif 000012
【図１１】
2008522219.tif 000013
【図１２】
2008522219.tif 000014
【図１３】
2008522219.tif 000015
【図１４】
2008522219.tif 000016
【図１５】
2008522219.tif 000017
【図１６】
2008522219.tif 000018
【図１７】
2008522219.tif 000019
【国際調査報告】
2008522219.tif 000020